(57)【要約】【課題】レンズ鏡筒内に位置するシャッタ保持枠と；カメラボディ側の制御回路に接続されるフレキシブル基板を有し、このシャッタ保持枠にその前方から挿入支持されるシャッタユニットと；シャッタ保持枠の前端部に結合され、シャッタユニットを該シャッタ保持枠との間に支持する環状蓋部材と；を有するレンズ鏡筒において、接着手段や小型別部品を用いることなく、ＦＰＣ基板を保持することができるＦＰＣ基板の保持機構を得る。【解決手段】環状蓋部材に、フレキシブル基板を掛け止める掛止支持部を一体に形成したレンズ鏡筒のフレキシブル基板保持構造。【選択図】  図１
2006003458.tif 000002
【特許請求の範囲】
【請求項１】
レンズ鏡筒内に位置するシャッタ保持枠と；
カメラボディ側の制御回路に接続されるフレキシブル基板を有し、このシャッタ保持枠にその前方から挿入支持されるシャッタユニットと；
上記シャッタ保持枠の前端部に結合され、上記シャッタユニットを該シャッタ保持枠との間に支持する環状蓋部材と；
を有し、
上記環状蓋部材に、上記フレキシブル基板を掛け止める掛止支持部を一体に形成したことを特徴とするレンズ鏡筒のフレキシブル基板保持構造。
【請求項２】
請求項１記載のレンズ鏡筒のフレキシブル基板保持構造において、上記環状蓋部材は遮光枠であり、上記掛止支持部は該遮光枠の後面に突出するＬ字状フックからなるレンズ鏡筒のフレキシブル基板保持構造。
【請求項３】
請求項１または２記載のレンズ鏡筒のフレキシブル基板保持構造において、上記シャッタ保持枠は、光軸方向に直進移動する直進移動部材であるレンズ鏡筒のフレキシブル基板保持構造。
【請求項４】
請求項１ないし３のいずれか１項記載のレンズ鏡筒のフレキシブル基板保持構造において、上記フレキシブル基板は、上記掛止支持部においてＵターンして後方に導かれ、カメラボディ側に固定したフレキ案内板に支持されているレンズ鏡筒のフレキシブル基板保持構造。
【発明の詳細な説明】
【技術分野】
【０００１】
本発明は、レンズ鏡筒のシャッタユニットから出るフレキシブル基板（ＦＰＣ基板）を保持する機構に関する。
【背景技術】
【０００２】
例えばレンズシャッタ式カメラのレンズ鏡筒には、シャッタユニットが搭載されており、このシャッタユニットとカメラボディ側の制御回路とはＦＰＣ基板を介して接続される。このＦＰＣ基板は、従来、両面テープなどの接着手段を用いてシャッタ保持枠に固定され、あるいは小型の別部品を用いてシャッタ保持枠に固定するのが一般的であった。
【発明の開示】
【発明が解決しようとする課題】
【０００３】
しかし、接着手段や小型別部品によるＦＰＣ基板の固定は、作業性が悪く、かつ部品点数が増えるという問題があった。
【０００４】
本発明は、接着手段や小型別部品を用いることなく、シャッタ保持枠に通常用いられる環状蓋部材を利用してＦＰＣ基板を保持することができる保持機構を得ることを目的とする。
【課題を解決するための手段】
【０００５】
本発明のレンズ鏡筒のフレキシブル基板保持構造は、レンズ鏡筒内に位置するシャッタ保持枠と；カメラボディ側の制御回路に接続されるフレキシブル基板を有し、このシャッタ保持枠にその前方から挿入支持されるシャッタユニットと；シャッタ保持枠の前端部に結合され、上記シャッタユニットを該シャッタ保持枠との間に支持する環状蓋部材と；を有するレンズ鏡筒において、環状蓋部材に、フレキシブル基板を掛け止める掛止支持部を一体に形成したことを特徴としている。
【０００６】
環状蓋部材は、シャッタ保持枠の前方から有害光が進入するのを防ぐ遮光枠とするのが好ましい。そして、掛止支持部は該遮光枠の後面に突出するＬ字状フックから構成するとフレキシブル基板の掛止が容易である。
【０００７】
本発明は、シャッタ保持枠が光軸方向に直進移動する直進移動部材であるズームレンズ鏡筒に適用することが好ましい。
【０００８】
フレキシブル基板は、掛止支持部においてＵターンさせて後方に導き、カメラボディ側に固定したフレキ案内板に支持した後、カメラボディ側の制御回路に導くのがよい。
【発明の効果】
【０００９】
本発明のフレキシブル基板保持構造によれば、シャッタ保持枠と組み合わされて使用される環状蓋部材に、フレキシブル基板の掛止支持部を一体に設けたので、フレキシブル基板の保持を簡単に行うことができる。特に、環状蓋部材を一般的に用いられる遮光枠とすれば部品点数が増えることがない。
【発明を実施するための最良の形態】
【００１０】
最初に、図６ないし図９について、本発明のフレキシブル基板の保持構造を適用したズームレンズ鏡筒の全体構造を説明する。このズームレンズ鏡筒の光学系は、物体側から順に、第１レンズ群Ｌ１、第２レンズ群Ｌ２、第３レンズ群Ｌ３及び第４レンズ群Ｌ４を有する４群ズームレンズ系で、第１レンズ群Ｌ１ないし第３レンズ群Ｌ３が変倍に関与するレンズ群であり、第４レンズ群Ｌ４が変倍に伴う焦点移動を補償しかつ合焦に関与するフォーカスレンズ群である。
【００１１】
このズームレンズ鏡筒の不動（固定）部材は、ＣＣＤホルダー１１、このＣＣＤホルダー１１の前方に固定したハウジング１２、及びこのハウジング１２の先端に固定した回転規制環１３である。ＣＣＤホルダー１１にはＣＣＤ１１ａと、４群直進ガイド１１ｂが固定されており、４群直進ガイド１１ｂには第４レンズ群Ｌ４を固定した４群枠１４が光軸方向に直進案内されている。
【００１２】
ハウジング１２にはその内周面に雌ヘリコイド１２ａと光軸と平行な直進案内溝１２ｂが形成されている。雌ヘリコイド１２ａにはカム環１５の後端部外周の雄ヘリコイド１５ａが螺合する。雄ヘリコイド１５ａの山には平ギヤ１５ｂが形成されていて、この平ギヤ１５ｂがハウジング１２に固定された正逆駆動モータ１２ｃのピニオン（図示せず）と噛み合う。従って、正逆駆動モータ１２ｃの正逆の回転によりカム環１５が正逆に回転しながらヘリコイド１２ａ、１５ａに従って光軸方向に進退する。本ズームレンズ鏡筒においては、このカム環１５が唯一の回転部材である。
【００１３】
カム環１５の外周には、直進案内環１６が相対回転自在で光軸方向には一緒に移動するようにバヨネット結合している。直進案内環１６の外周面には、ハウジング１２の直進案内溝１２ｂと係合する直進案内突起１６ａが形成されており、カム環１５が回転しつつ光軸方向に進退すると、直進案内環１６がカム環１５と相対回転しつつ、光軸方向に直進移動する。
【００１４】
直進案内環１６の内周面には直進案内溝１６ｂが形成されており、この直進案内溝１６ｂに１群移動筒１７の外周面後端部に形成した直進案内突起１７ａが係合する。１群移動筒１７は、前端部が径方向壁で結合された内外二重筒からなっており、その内筒と外筒の間にカム環１５のカム筒部が位置している。また、直進案内環１６と１群移動筒１７との間には、バリヤ支持筒１８が位置しており、このバリヤ支持筒１８の内周面に突出させた直進案内突起（図示せず）が１群移動筒１７の直進案内溝１７ｂに嵌まっている。バリヤ支持筒１８の先端部にはバリヤブロック１８ａが嵌合支持されている。
【００１５】
１群移動筒１７の内周面には、２群移動枠１９が光軸方向に直進案内されており、この２群移動枠１９に、第３レンズ群Ｌ３とシャッタユニット２０ａ（図６ないし図８）を支持した３群移動枠（シャッタ保持枠）２０が直進案内されている。１群移動筒１７には第１レンズ群Ｌ１を固定した１群枠１７ｘが支持され、２群移動枠１９には、第２レンズ群Ｌ２を固定した２群枠１９ａが螺合固定されている。
【００１６】
以上の直進案内関係は、ハウジング１２に直進案内環１６が直進案内され、直進案内環１６に１群移動筒１７が直進案内され、１群移動筒１７にバリヤ支持筒１８と２群移動枠１９が直進案内され、２群移動枠１９に３群移動枠２０が直進案内される関係である。
【００１７】
カム環１５のカム筒部の外周面には、１群移動筒１７用とバリヤ支持筒１８用のカム溝ｃ２とｃ１が形成され、内周面には、２群移動枠１９用と３群移動枠２０用のカム溝ｃ３とｃ４が形成されている。１群移動筒１７、バリヤ支持筒１８、２群移動枠１９、３群移動枠２０にはそれぞれ、これらのカム溝ｃ１、ｃ２、ｃ３、ｃ４に係合するフォロア１７ｆ、１８ｆ、１９ｆ、２０ｆが固定又は形成されている。上述のように１群移動筒１７、バリヤ支持筒１８、２群移動枠１９及び３群移動枠２０は、すべて直進案内されており、カム環１５が回転すると、それぞれのカムプロフィル及びフォロアに従い光軸方向に直進移動して、変倍動作及び収納動作が行われる。また、変倍に伴う焦点移動情報及び被写体距離情報に基づき、ハウジング１２に固定したステッピングモータ１２ｄにより、４群枠１４（第４レンズ群Ｌ４）が光軸方向に駆動される。
【００１８】
本実施形態のレンズ鏡筒のフレキシブル基板保持構造は、以上の構成を有するズームレンズ鏡筒の３群移動枠（シャッタ保持枠）２０に適用されている。シャッタ保持枠２０は、その前方からシャッタユニット２０ａを挿入するように、前端部が開放されており、中間位置にシャッタユニット２０ａを受ける内方フランジ２０ｂ（図６ないし図８）が形成されている。図６ないし図８の断面位置では内方フランジ２０ｂとシャッタユニット２０ａとの間に隙間が描かれているが、他の断面位置でこの内方フランジ２０ｂとシャッタユニット２０ａ（から突出するねじボス）とは当接し、内方フランジ２０ｂの後方から螺合させた固定ねじで固定されている。
【００１９】
環状遮光枠（環状蓋部材）２０ｃは、この内方フランジ２０ｂとの間にシャッタユニット２０ａを挟着する内方フランジ２０ｃ１（図６ないし図８）を有するもので、内方フランジ２０ｃ１は同時にシャッタ保持枠２０の前方開放端の周縁を閉塞し、有害光がＣＣＤ１１ａに進入するのを防止する。
【００２０】
環状遮光枠２０ｃには、その後端面の周方向の一部に、図１に明らかなように、光軸と平行な方向に延びる軸方向部分２０ｃ２と、この軸方向部分２０ｃ２の後端部から略円周方向に延びる周方向部分２０ｃ３とを有するＬ字状フック（掛止支持部）２０ｃ４が形成されている。また、環状遮光枠２０ｃの外周面には複数箇所に係止突起２０ｃ５が突出形成されており、シャッタ保持枠２０の円筒壁面には、この係止突起２０ｃ５を嵌合させる係止穴２０ｄが穿設されている。環状遮光枠２０ｃは樹脂材料の一体成形品であり、以上の要素は一体に形成されている。
【００２１】
シャッタユニット２０ａに一端部が連なる帯状のフレキシブル基板（ＦＰＣ基板）２０ｅは、シャッタユニット２０ａの後端部から一旦前方に延出し、Ｌ字状フック２０ｃ４に掛け止められてＵターンする。すなわち、シャッタ保持枠２０、シャッタユニット２０ａ、環状遮光枠２０ｃを結合するときには、図１に示すように、シャッタ保持枠２０の前方からシャッタユニット２０ａを挿入し、シャッタユニット２０ａから延出しているＦＰＣ基板２０ｅを前方に導いてＵ字状部２０ｅ１を作り、このＵ字状部２０ｅ１内に、環状遮光枠２０ｃのＬ字状フック２０ｃ４を挿入する。その後、ＦＰＣ基板２０ｅを後方（図１矢印Ａ方向）に引きながら、環状遮光枠２０ｃの係止突起２０ｃ５をシャッタ保持枠２０の係止穴２０ｄに嵌める。以上の作業により、シャッタユニット２０ａから出たＦＰＣ基板２０ｅのシャッタ保持枠２０に対する保持構造が完成する。
【００２２】
ＦＰＣ基板２０ｅの後端部（他端部）は、図３ないし図８に明らかなように、ＣＣＤホルダー１１に固定されるフレキ案内板１１ｃに導かれ、その後カメラボディ側の制御回路（図示せず）に接続される。フレキ案内板１１ｃは、ＣＣＤホルダー１１に固定される径方向面１１ｃ１と、光軸と平行な方向に延びる軸方向面１１ｃ２とを有する略Ｌ字状の板部材である。シャッタユニット２０ａからのＦＰＣ基板２０ｅは、軸方向面１１ｃ２の径方向外側の面（上面）に導かれた後、第２のＵターン部２０ｅ２で前方に折り返され、軸方向面１１ｃ２の先端部の第３のＵターン部２０ｅ３で軸方向面１１ｃ２の径方向内側の面（下面）に導かれている。そして、軸方向面１１ｃ２の下面に沿って後方に導かれ、直角曲折部２０ｅ４を経て、径方向面１１ｃ１の貫通穴１１ｃ３を通り、カメラボディの制御回路に接続される。
【００２３】
以上のＦＰＣ基板２０ｅの案内構造によれば、ズーミング動作に伴いシャッタ保持枠（３群移動枠）２０が光軸方向に進退するとき、図３ないし図８に示すように、フレキ案内板１１ｃの軸方向面１１ｃ２上で第２のＵターン部２０ｅ２の位置が変化するだけＦＰＣ基板２０ｅを案内できる。なお、図３ないし図５では、シャッタユニット２０ａと環状遮光枠２０ｃを明瞭に示すため、シャッタ保持枠２０を描いていない。
【００２４】
以上の実施形態の環状遮光枠２０ｃのＬ字状フック（掛止支持部）２０ｃ４は、ＦＰＣ基板２０ｅのＵ字状折返部２０ｅ１を容易に支持できるという利点があるが、必ずしもＬ字状である必要はない。また、環状遮光枠２０ｃは、他の遮光構造で有害光の進入を防ぐことができる鏡筒構造では、単なるシャッタユニット２０ａをシャッタ保持枠２０に保持する環状蓋部材とすることができる。
【００２５】
図６から図９で説明したズームレンズ鏡筒は、３群移動枠（シャッタ保持枠）２０が光軸方向に直進移動するが、本発明のフレキシブル基板の保持構造は、シャッタ保持枠が移動しないレンズ鏡筒にも適用可能である。
【図面の簡単な説明】
【００２６】
【図１】本発明によるレンズ鏡筒のフレキシブル基板保持構造の一実施形態を示す、シャッタブロック支持環と分解状態の斜視図である。
【図２】図１に加えて、フレキシブル基板案内板を含む斜視図である。
【図３】レンズ鏡筒の収納状態におけるフレキシブル基板の案内構造を示す後方から見た斜視図である。
【図４】同短焦点距離端におけるフレキシブル基板の案内構造を示す後方から見た斜視図である。
【図５】同長焦点距離端におけるフレキシブル基板の案内構造を示す後方から見た斜視図である。
【図６】本発明によるフレキシブル基板保持構造を適用するズームレンズ鏡筒の一例を示す収納状態における上半断面図である。
【図７】同短焦点距離端における上半断面図である。
【図８】同長焦点距離端における上半断面図である。
【図９】図６ないし図９のズームレンズ鏡筒の分解斜視図である。
【符号の説明】
【００２７】
１１ｃ  フレキ案内板
２０  ３群移動枠（シャッタ保持枠）
２０ａ  シャッタユニット
２０ｂ  内方フランジ
２０ｃ  環状遮光枠
２０ｃ１  内方フランジ
２０ｃ４  Ｌ字状フック（掛止支持部）
２０ｃ５  係止突起
２０ｄ  係止穴
２０ｅ  フレキシブル基板
２０ｅ１  Ｕ字状部
【図１】
2006003458.tif 000003
【図２】
2006003458.tif 000004
【図３】
2006003458.tif 000005
【図４】
2006003458.tif 000006
【図５】
2006003458.tif 000007
【図６】
2006003458.tif 000008
【図７】
2006003458.tif 000009
【図８】
2006003458.tif 000010
【図９】
2006003458.tif 000011